【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】  （ａ）約０から６０℃の間に維持されるプレゲル化デンプン懸濁液を形成し、
（ｂ）前記プレゲル化デンプン懸濁液に、約１：２から１：８（幅：長さ）の間の縦横比を持つ木繊維を少なくとも含む乾燥または湿潤な均質混合物を添加して、均質な成形可能な組成物を形成し、
（ｃ）前記均質な成形可能な組成物を熱で成形して生物分解性物質を形成する
ことによって、生物分解性物質を形成するための方法。
【請求項２】  （ａ）低温に維持される第１プレゲル化デンプン懸濁液を形成し、
（ｂ）木繊維または木粉（約１：２から１：８の間の縦横比を持つ）、第２プレゲル化デンプン懸濁液、および／または天然デンプンを一緒に混合して均質な混合物を形成し、
（ｃ）前記プレゲル化デンプン懸濁液に乾燥または湿潤な前記均質な混合物を添加して、均質な成形可能な組成物を形成し、
（ｄ）前記均質な成形可能な組成物を熱で成形して生物分解性物質を形成する
ことによって、生物分解性物質を形成するための方法。
【請求項３】  （ａ）プレゲル化懸濁液が低温に維持されるように、プレゲルの重量の約３から１０重量％のジャガイモデンプンおよびプレゲルの重量の約９０から９７重量％の水から生成されるプレゲル化デンプン懸濁液（プレゲル）を形成し、
（ｂ）木繊維または木粉（約１：２から１：８の間の縦横比を持つ）、（プレゲルの重量の）約１５％のトウモロコシデンプンおよびプレゲルの重量の約８５％の水から生成されるプレゲル化デンプン懸濁液、および天然デンプン（例えば（均質な成形可能な組成物の重量の）約５０から７０％またはより特定的には５７から６５．８％のトウモロコシデンプン、または（均質な成形可能な組成物の重量の）約２から１５％またはより特定的には３から５％のジャガイモデンプン）を一緒に混合して、均質な混合物を形成し、
（ｃ）前記プレゲル化ジャガイモデンプン懸濁液に前記均質な混合物を添加して、最終的な均質な成形可能な組成物を形成し、
（ｄ）前記均質な成形可能な組成物を熱で成形して生物分解性物質を形成する
ことによって、生物分解性物質を形成するための方法。
【請求項４】  （ａ）低温に維持されるプレゲル化紙デンプン懸濁液を形成し、
（ｂ）前記プレゲル化紙デンプン懸濁液に、約１：２から１：８（幅：長さ）の間の縦横比を持つ木繊維を少なくとも含む乾燥または湿潤な均質な混合物を添加して、均質な成形可能な組成物を形成し、
（ｃ）前記均質な成形可能な組成物を熱で成形して生物分解性物質を形成する
ことによって、生物分解性物質を形成するための方法。
【請求項５】  （ａ）低温に維持される第１プレゲル化紙デンプン懸濁液を形成し、
（ｂ）木繊維または木粉（約１：２から１：８の間の縦横比を持つ）、および天然デンプンを一緒に混合して均質な混合物を形成し、
（ｃ）前記第１プレゲル化デンプン懸濁液に前記均質な混合物を添加して、均質な成形可能な組成物を形成し、
（ｄ）前記均質な成形可能な組成物を熱で成形して生物分解性物質を形成する
ことによって、生物分解性物質を形成するための方法。
【請求項６】  （ａ）プレゲル化懸濁液が低温に維持されるように、（プレゲルの重量の）約２から１５％、好ましくは約２．５％、５％、１０％、または１５％のジャガイモデンプンと、（プレゲルの重量の）約５から１０％、好ましくは約５．９から８％の紙パルプと、（プレゲルの重量の）約７５から９５％の水から生成されるプレゲル化デンプン懸濁液を形成し、
（ｂ）木繊維または木粉（約１：２から１：８の間、好ましくは１：２から１：４の間の縦横比を持つ）、天然トウモロコシデンプン、および天然ジャガイモデンプンを一緒に混合して均質な混合物を形成し、
（ｃ）前記プレゲル化ジャガイモデンプン懸濁液に前記均質な混合物を添加して、均質な成形可能な組成物を形成し、
（ｄ）前記均質な成形可能な組成物を熱で成形して生物分解性物質を形成する
ことによって、生物分解性物質を形成するための方法。
【請求項７】  次のリスト：
（ｉ）ワックス、脂肪アルコール、リン脂質、またはグリセロールなど他の高分子量生化学物質
（ｉｉ）（前記均質な成形可能な組成物の重量の）約０．５から２０％の水
（ｉｉｉ）ベーキングパウダー、および／または
（ｉｖ）天然土充填材、粘土、ベントナイト、非晶質原料生産物、石膏または硫酸カルシウム、石灰岩などの鉱物、または人造不活性充填材
から選択した材料を前記木繊維に添加して均質な混合物を形成することをさらに含む請求項１から６に記載の方法。
【請求項８】  （ａ）低温に維持されるプレゲル化デンプン懸濁液または紙デンプン懸濁液を形成するステップと、
（ｂ）木繊維または木粉（約１：２から１：８の間の縦横比を持つ）と、（ｉ）乾燥または湿潤なデンプン、（ｉｉ）プレゲル化デンプン、（ｉｉｉ）ワックス、脂肪アルコール、リン脂質、および／または他の高分子量生化学物質、（ｖ）ベーキングパウダー、および／または（ｖｉ）天然土充填材、粘土、ベントナイト、非晶質原料生産物、石膏または硫酸カルシウム、石灰岩などの鉱物、およびフライアッシュなどの人造材料との均質な成形可能な組成物を一緒に混合して均質な混合物を形成するステップと、
（ｃ）前記プレゲル化デンプン懸濁液に乾燥または湿潤な前記均質な混合物を添加して、均質な成形可能な組成物を形成するステップと、
（ｄ）前記均質な成形可能な組成物を熱で成形して生物分解性物質を形成するステップと
を含む方法。
【請求項９】  前記プレゲル化デンプン懸濁液が（プレゲルの重量の）約２．５から１５％のデンプンおよび前記均質な成形可能な組成物の重量の約８５から９７．５％の水から生成される請求項１から８に記載の方法。
【請求項１０】  前記プレゲル化デンプン懸濁液が約２．５から５．５％のデンプンおよび約９４．５から９７．５％の水から生成される請求項１から８に記載の方法。
【請求項１１】  前記プレゲル化デンプン懸濁液が（プレゲルの重量の）約２．５から１０％のジャガイモデンプンおよび９０％から９７．５％の水から生成される請求項１から８に記載の方法。
【請求項１２】  前記プレゲル化デンプン懸濁液が（プレゲルの重量の）約１５％のトウモロコシデンプンから生成される請求項１から８に記載の方法。
【請求項１３】  前記プレゲル化紙デンプン溶液が（プレゲルの重量の）約５から１０％の紙パルプ、約５から１５％の天然デンプン、および約７５から９０％の水から生成される請求項１から８に記載の方法。
【請求項１４】  前記デンプンがトウモロコシデンプンまたはジャガイモデンプンである請求項１から８に記載の方法。
【請求項１５】  前記デンプンがジャガイモデンプンとトウモロコシデンプンの混合物である請求項１から８に記載の方法。
【請求項１６】  トウモロコシデンプンが前記均質な成形可能な組成物の重量の約４から１８重量％を構成する請求項１から８に記載の方法。
【請求項１７】  木繊維または木粉が前記プレゲル化デンプン溶液を含む前記均質な成形可能な組成物の約１１から２４％を構成する請求項１から８に記載の方法。
【請求項１８】  前記木繊維または木粉が前記プレゲル化紙デンプン溶液を含む前記均質な成形可能な組成物の重量の約７から１１重量％を構成する請求項１から８に記載の方法。
【請求項１９】  前記木繊維または木粉が約１：２から１：８の間の縦横比（幅対長さ）を有する請求項１から８に記載の方法。
【請求項２０】  請求項１から１９または請求項２４から２７に記載の方法に従って作成された生物分解性組成物。
【請求項２１】  １年未満で構成部品に分解する請求項２０に記載の物質。
【請求項２２】  ６か月未満で構成分子に分解する請求項２０に記載の物質。
【請求項２３】  ２４日で分解する請求項２０に記載の物質。
【請求項２４】  熱と共に、または熱に代替して圧力を使用して前記生物分解性材料を成形することをさらに含む請求項１から１９に記載の方法。
【請求項２５】  前記圧力が約２から３ｐｓｉである請求項２４に記載の方法。
【請求項２６】  熱を使用して前記物質を生成する請求項１から１９に記載の方法。
【請求項２７】  前記生物分解性物質を成形するために使用する前記熱が約１５０から２５０℃の間である請求項２６に記載の方法。
【請求項２８】  適切な耐液性コーティングを被覆した請求項２０に記載の物質。
【請求項２９】  前記コーティングがＰＲＯＴＥＣｏａｔ（ニュー・コート社）、Ｚｅｉｎ（登録商標）（トウモロコシから単離された生物分解性材料）、ポリ乳酸、ポリヒドロキシアルカノアート、細菌性セルロース、キトサンをベースとする重合体、またはワックスおよび油をベースとするコーティングなどのコーティングから選択される請求項２８に記載の物質。
【請求項３０】  前記コーティングが薄膜として適用されるか、噴射または浸漬される請求項２８に記載の物質。
【請求項３１】  （ａ）低温に維持される第１プレゲル化デンプン懸濁液を形成し、
（ｂ）木繊維または木粉（約１：２から１：８の間の縦横比を持つ）、およびワックス、脂肪アルコール、リン脂質、またはグリセロールなど他の高分子量生化学物質を一緒に混合し、
（ｃ）前記第１プレゲル化デンプン懸濁液に、前記木繊維および他の材料を含む均質な混合物を添加し、
（ｄ）前記均質な組成物を熱で成形して生物分解性物質を形成し、
（ｅ）前記物質に耐液性コーティングを被覆する
ことによって、耐水性物質を形成するための方法。
【請求項３２】  前記コーティングがＰＲＯＴＥＣｏａｔ、Ｚｅｉｎ（登録商標）、ポリ乳酸、ポリヒドロキシアルカノアート、細菌性セルロース、キトサンをベースとする重合体、またはワックスおよび油をベースとするコーティングを含むが、これらに限定されない請求項３１に記載の物質。
【請求項３３】  真空を使用して成形品の周囲に膜を形成する請求項２８に記載の方法。
【請求項３４】  （ａ）低温に維持される第１プレゲル化デンプン懸濁液を形成し、
（ｂ）木繊維または木粉（約１：２から１：８の間の縦横比を持つ）、第２プレゲル化デンプン懸濁液、およびガス源を一緒に混合して均質な組成物を形成し、
（ｃ）前記第１プレゲル化デンプン懸濁液に、前記木繊維および第２プレゲル化デンプンを含む乾燥または湿潤な均質な混合物を添加し、  （ｄ）前記均質な組成物を熱で成形して生物分解性物質を形成する
ことによって、連続気泡物質（ｏｐｅｎ  ｃｅｌｌ  ｆｏａｍ  ｍａｔｅｒｉａｌ）を形成するための方法。
【請求項３５】  （ａ）プレゲル化懸濁液が低温に維持されるように、（プレゲルの重量の）約３から５％のジャガイモデンプンおよび（プレゲルの重量の）約９５から９７％の水から生成されるプレゲル化デンプン懸濁液を形成し、
（ｂ）木繊維または木粉（約１：２から１：８の間の縦横比を持つ）、（第２プレゲルの重量の）約１５％のトウモロコシデンプンおよび（第２プレゲルの重量の）約８５％の水から生成された第２プレゲル化デンプン懸濁液（第２プレゲル）、ならびに（均質な成形可能な混合物の重量の）０．４２から１２％のベーキングパウダーを一緒に混合して均質な混合物を形成し、
（ｃ）前記プレゲル化ジャガイモデンプン懸濁液に、前記木繊維およびプレゲル化トウモロコシデンプンを含む均質な混合物を添加して、均質な成形可能な組成物を形成し、
（ｄ）前記均質な成形可能な組成物を熱で成形して生物分解性物質を形成する
ことによって連続気泡物質を形成するための方法。